(57)【特許請求の範囲】
【請求項１】
内部を掘削しながら、土留板を上段から下段に向けて複数段に順次建て込み、対向する土留板間に切梁による仮支保工を配した後、前記対向する土留板間に切梁部材による四角形の枠状の支保工を配置し、前記仮支保工を撤去して構築することを特徴する簡易立坑の構築方法。
【請求項２】
支保工は上下に複数段に分割された分割体で構成される請求項１記載の簡易立坑の構築方法。
【請求項３】
支保工と土留板との間にパッキン材を介在させる請求項１または請求項２に記載の簡易立坑の構築方法。
【請求項４】
上段から下段に向けて複数段に順次建て込んだ土留板間に四角形の枠状の切梁部材による支保工を配置したことを特徴とする簡易立坑。
【発明の詳細な説明】
【０００１】
【発明の属する技術分野】
本発明は、市街地に上下水道、地下道等の地下構造物を施工するオープンシールド工法で使用する簡易立坑およびその構築方法に関するものである。
【０００２】
【従来の技術】
オープンシールド工法は開削工法（オープンカット工法）とシールド工法の長所を生かした合理性に富む工法であり、このオープンシールド工法で使用するオープンシールド機１の概略は図９に示すように左右の側壁板１ａとこれら側壁板１ａに連結する底板１ｂとからなる前面、後面及び上面を開口したもので、前記側壁板１ａと底板１ｂの先端を刃口11として形成し、また側壁板１ａの中央又は後端近くにシールドジャッキ２を後方に向け上下に並べて配設する。図中３は隔壁を示す。
【０００３】
かかるオープンシールド機１を使用して施工するオープンシールド工法は、図示は省略するが、発進坑内にこのオープンシールド機１を設置して、オープンシールド機１のシールドジャッキ２を伸長して発進坑内の反力壁に反力をとってオープンシールド機１を前進させ、地下構造物を形成する第１番目のコンクリート函体４を上方から吊り降し、オープンシールド機１のテール部１ｃ内で縮めたシールドジャッキ２の後方にセットする。シールドジャッキ２と反力壁の間にはストラットを配設して適宜間隔調整をする。
【０００４】
また、発進坑は土留壁で構成し、オープンシールド機１を発進させるにはこの土留壁を一部鏡切りするが、必要に応じて薬液注入等で発進坑の前方部分に地盤改良を施しておくこともある。
【０００５】
ショベル等の掘削機９でオープンシールド機１の前面又は上面から土砂を掘削しかつ排土する。この排土工程と同時またはその後にシールドジャッキ２を伸長してオープンシールド機１を前進させる。この前進工程の場合、コンクリート函体４の前にはボックス鋼材又は型鋼を用いた枠体よりなる押角８を配設し、オープンシールド機１は後方にセットされたコンクリート函体４から反力をとる。
【０００６】
そして前記第１番目のコンクリート函体４の前に第２番目のコンクリート函体４をオープンシールド機１のテール部１ｃ内に吊り降す。以下、同様の排土工程、前進工程、コンクリート函体４のセット工程を適宜繰返して、順次コンクリート函体４をオープンシールド機１の前進に伴い縦列に地中に残置し、さらにこのコンクリート函体４の上面に埋戻土５を入れる。
【０００７】
なお、コンクリート函体４をオープンシールド機１のテール部１ｃ内に吊り降す際には、コンクリートブロック等による高さ調整材７をコンクリート函体４下に配設し、このテール部１ｃ内でコンクリート函体４の左右および下部の空隙にグラウト材６を充填する。
【０００８】
このようにして、オープンシールド機１が到達坑まで達したならばこれを撤去して工事を完了する。
【０００９】
このようなオープンシールド工法では、前記のごとくコンクリート函体４をオープンシールド機１の前進に伴い縦列に地中に残置し、コンクリート函体４は、オープンシールド機１のテール部１ｃ内に吊り降され、オープンシールド機１の前進とともに該テール部１ｃから出て地中に残されていくものであり、オープンシールド機１はこのように地中に残置したコンクリート函体４に反力をとって前進する。
【００１０】
コンクリート函体４は鉄筋コンクリート製のもので、図10に示すように左側板４ａ、右側板４ｂと上床板４ｃと下床板４ｄとからなるもので、前後面が開口10として開放されている。
【００１１】
【発明が解決しようとする課題】
ところで、発進坑は地山の安定しているところでは簡易立坑で形成することが考えられる。簡易立坑は、図７、図８に示すようにまず地表に近い部分を浅く掘削して周囲に第１段目の土留板12ａを建て込み、対向する土留板12ａ間に第１段目の切梁13ａを入れ、次いで、その下方をさらに掘削した後、新たな掘削部分の周囲に第２段目の土留板12ｂを建て込み、対向する土留板12ｂ間に第２段目の切梁13ｂを入れ、次いで、その下方をさらに掘削した後、新たな掘削部分の周囲に第３段目の土留板12ｃを建て込み、対向する土留板12ｃ間に第３段目の切梁13ｃを入れて構築するものである。
【００１２】
しかしながら、かかる簡易立坑をオープンシールド機１の発進坑として使用するには、オープンシールド機１の前進方向に対して多数の切梁13ａ〜13ｃが存在して発進坑内を横切っているため、立坑内にオープンシールド機１を据え付けることが不可能であり、従来の簡易立坑ではこれを発進坑として使用することができなかった。
【００１３】
本発明の目的は前記従来例の不都合を解消し、オープンシールド機の発進坑として使用することができ、構築も容易な簡易立坑およびその構築方法を提供することにある。
【００１４】
【課題を解決するための手段】
本発明は前記目的を達成するため、構築方法として、第１に、内部を掘削しながら、土留板を上段から下段に向けて複数段に順次建て込み、対向する土留板間に切梁による仮支保工を配した後、前記対向する土留板間に切梁部材による四角形の枠状の支保工を配置し、前記仮支保工を撤去して構築することを要旨とするものである。
【００１５】
第２に、支保工は上下に複数段に分割された分割体で構成されること、第３に、支保工と土留板との間にパッキン材を介在させることを要旨とするものである。
【００１６】
第４に、簡易立坑として、上段から下段に向けて複数段に順次建て込んだ土留板間に四角形の枠状の切梁部材による支保工を配置したことを要旨とするものである。
【００１７】
請求項１、請求項４記載の本発明によれば、支保工を土留板間に配置する四角形の枠状に形成したから、オープンシールド機はこの枠状の支保工の中を前進することができ、オープンシールド機の発進坑として使用することができる。また、かかる簡易立坑の構築は、従来と同様に切梁による仮支保工を配した後、四角形の枠状の切梁部材による支保工を配置し、その後、仮支保工を撤去するものであるから、容易に構築できる。
【００１８】
請求項２記載の本発明によれば、前記作用に加えて、支保工を上下に複数段に分割された分割体で構成することにより、立坑内への建て込みや構築が容易になる。
【００１９】
請求項３記載の本発明によれば、前記作用に加えて、支保工と土留板との間にパッキン材を介在させることにより、複数段に建て込んだ土留板間の間隔が各段で異なっていても、四角形の枠状の支保工を土留板間に垂直に配設できる。
【００２０】
【発明の実施の形態】
以下、図面について本発明の実施の形態を詳細に説明する。図１は本発明の簡易立坑の実施形態を示すオープンシールド機１を設置した状態の縦断正面図、図２は同上平面図で、オープンシールド機１は一例として機体を前後方向に３つに分割するもので、刃口11を先端に有するフロント部１ｄ、ミドル部１ｅ、コンクリート函体４が吊り降ろされるテール部１ｃの３つに分割し、推進ジャッキをテール部１ｃに配設する。
【００２１】
本発明の簡易立坑は、かかるオープンシールド機１の発進立坑として使用するもので、上下に複数段に順次建て込んだ土留板12ａ、12ｂ、12ｃ間に四角形の枠状の切梁部材による支保工14を配置した。
【００２２】
該支保工14を設置して簡易立坑を構築するには、まず、従来と同様にして、図３、図４に示すように地表に近い部分を浅く掘削して周囲に第１段目の土留板12ａを建て込み、対向する土留板12ａ間に第１段目の切梁13ａを仮支保工として入れ、次いで、その下方をさらに掘削した後、新たな掘削部分の周囲に第２段目の土留板12ｂを建て込み、対向する土留板12ｂ間に第２段目の切梁13ｂを仮支保工として入れ、次いで、その下方をさらに掘削した後、新たな掘削部分の周囲に第３段目の土留板12ｃを建て込み、対向する土留板12ｃ間に第３段目の切梁13ｃを仮支保工として入れる。
【００２３】
前記土留板12ａ〜12ｃは、下段にいくにしたがい、上段のものの下部の内側に下段のものの上部を重合させ、対向する土留板12ａ〜12ｃ間の幅が狭くなる。
【００２４】
このようにして小さな切梁13ａ〜13ｃによる仮支保工を複数段設置した後、図５、図６に示すように四角形の枠状の切梁部材による支保工14を配設する。該支保工14の構築は、切梁13ａ〜13ｃを配設した箇所を避けて、最下段に位置させて土留板12ｃ間にコ字形の切梁部材14ａを配設し、次にこの切梁部材14ａの上に中段の切梁部材14ｂを配設する。この場合、中段の切梁部材14ｂは最下段の切梁部材14ａといっしょに位置決めピン15で土留板12ｃに固定する。
【００２５】
この場合、中段の土留板12ｂは下段の土留板12ｃよりも外側に位置していることから、中段の切梁部材14ｂと中段の土留板12ｂとの間には隙間が生じるが、この隙間にはクサビ状のパッキン材16を介在させる。
【００２６】
次に、中段の切梁部材14ｂの上にコ字形に形成した最上段の切梁部材14ｃを配置し、位置決めピン15で中段の切梁部材14ｂといっしょに土留板12ｂに固定する。そして、最上段の切梁部材14ｃと土留板12ａとの隙間にパッキン材16を介在させる。
【００２７】
このようにして複数に分割された切梁部材14ａ〜14ｃの組み合わせにより四角形の枠状の支保工14が配置される。この状態で、支保工14を残して小さな切梁13ａ〜13ｃによる仮支保工を撤去すれば、簡易立坑が構築される。
【００２８】
そして、図１、図２に示すように支保工14の内側で、オープンシールド機１の組立据付を行う。支保工14は四角い枠状であるから、その内側には大きな空間が形成され、ここでオープンシールド機１の組立据付が可能となる。
【００２９】
【発明の効果】
以上述べたように本発明の簡易立坑およびその構築方法は、オープンシールド機の発進坑として使用することができ、構築も、従来の小さな切梁を仮支保工とし、大きな枠状の切梁を支保工として設置し、大きな枠状の切梁を支保工として設置した後に小さな切梁による仮支保工を撤去するだけですむから、容易なものである。
【図面の簡単な説明】
【図１】本発明の簡易立坑の実施形態を示す縦断正面図である。
【図２】本発明の簡易立坑の実施形態を示す平面図である。
【図３】本発明の簡易立坑の構築方法を示す仮支保工を配設している状態の縦断正面図である。
【図４】本発明の簡易立坑の構築方法を示す仮支保工を配設している状態の平面図である。
【図５】本発明の簡易立坑の構築方法を示す仮支保工を撤去した状態の縦断正面図である。
【図６】本発明の簡易立坑の構築方法を示す仮支保工を撤去した状態の平面図である。
【図７】従来の簡易立坑の縦断正面図である。
【図８】従来の簡易立坑の平面図である。
【図９】オープンシールド工法の概要を示す縦断側面図である。
【図１０】コンクリート函体の斜視図である。
【符号の説明】
１…オープンシールド機
１ａ…側壁板                      １ｂ…底板
１ｃ…テール部                    ２…シールドジャッキ
１ｄ…フロント部                  １ｅ…ミドル部
３…隔壁                          ４…コンクリート函体
４ａ…左側板                      ４ｂ…右側板
４ｃ…上床板                      ４ｄ…下床板
５…埋戻土                        ６…グラウト材
７…高さ調整材                    ８…押角
９…掘削機                        10…開口
11…刃口                          12ａ、12ｂ、12ｃ…土留板
13ａ、13ｂ、13ｃ…切梁            14…支保工
14ａ、14ｂ、14ｃ…切梁部材        15…位置決めピン
16…パッキン材
【図１】
0003715618.tif 000002
【図２】
0003715618.tif 000003
【図３】
0003715618.tif 000004
【図４】
0003715618.tif 000005
【図５】
0003715618.tif 000006
【図６】
0003715618.tif 000007
【図７】
0003715618.tif 000008
【図８】
0003715618.tif 000009
【図９】
0003715618.tif 000010
【図１０】
0003715618.tif 000011